(57)【要約】  本発明は、押圧ヘッドと、押圧ヘッドと連結され、内部に上チェックバルブが設置された連結導管と、瓶口と噛合連結する第一連結構成及び第二連結構成が設置されたキャップと、上端にキャップの第二連結構成と噛み合う連結構成が設置され、下端に下チェックバルブが設置されたシリンダと、上端が連結導管と連結され、シリンダー内で移動するピストンと、ピストンをリセットさせるバネとを有する乳液ポンプであって、バネの上端が連結導管に当接し、バネの下端がシリンダー内に設置されたバネ座に当接することを特徴とする乳液ポンプを提供する。本発明のアウターバネ付け式乳液ポンプにより、バネは乳液と接触することはなく、且つ非常に簡単な構成と少数の部品により実現するため、生産性を著しく向上し、コストダウンを図れる。
2009540198.tif 000002
【特許請求の範囲】
【請求項１】
押圧ヘッドと、
前記押圧ヘッドと連結され、内部に上チェックバルブが設置された連結導管と、
瓶口と噛合連結する第一連結構成及び第二連結構成が設置されたキャップと、
上端に前記キャップの第二連結構成と噛み合う連結構成が設置され、下端に下チェックバルブが設置されたシリンダと、
上端が前記連結導管と連結され、前記シリンダー内で移動するピストンと、
前記ピストンをリセットさせるバネとを有する乳液ポンプであって、
前記バネの上端が前記連結導管に当接し、前記バネの下端が前記シリンダー内に設置されたバネ座に当接することを特徴とする乳液ポンプ。
【請求項２】
前記シリンダーが中間部から直径を縮小することにより、シリンダーの内壁に前記シリンダー内のバネ座を構成する段差を形成し、前記ピストンが小径部分に摺動自在に嵌合することを特徴とする、請求項１記載の乳液ポンプ。
【請求項３】
前記バネは複数の直径を有するスプリングであり、下部の直径が大きいことを特徴とする、請求項２記載の乳液ポンプ。
【請求項４】
前記バネ座は前記シリンダー内に設置された別体のバネ座であることを特徴とする、請求項１記載の乳液ポンプ。
【請求項５】
前記キャップに内輪があり、該内輪には少なくとも一つのガイドグルーブ及び少なくとも一つのガイドブロックの何れか一方が設置され、前記連結導管には前記少なくとも一つのガイドグルーブまたは前記少なくとも一つのガイドブロックの他方が設置されることを特徴とする、請求項１記載の乳液ポンプ。
【請求項６】
前記ガイドグルーブと前記ガイドブロックは下位トップロック構成を形成し、前記キャップの内側の下表面と前記ガイドの上表面に噛合わせる噛合い手段が設置されることを特徴とする、請求項５記載の乳液ポンプ。
【請求項７】
前記ガイドグルーブ下部の一側は円弧状とし、他側に前記ガイドブロックの回動を制限するとともに、ガイドブロックがガイドグルーブに滑りかえることを防止するための凸部が設置されることを特徴とする、請求項６記載の乳液ポンプ。
【請求項８】
前記キャップは相互に連結した端部キャップとキャップ主体からなり、前記ガイドグルーブと前記ガイドブロックはさらに上位ロック構成を形成し、前記端部キャップの下表面と前記ガイドブロックの上表面にそれぞれ噛合用の噛合手段が設置されることを特徴とする、請求項５乃至７のいずれか一項記載の乳液ポンプ。
【請求項９】
前記ガイドグルーブの上部の一側に、端部キャップと共同作用して前記ガイドブロックの回動を制限し、ガイドブロックがガイドグルーブに滑りかえることを防止するための凸部が設置されることを特徴とする、請求項８記載の乳液ポンプ。
【請求項１０】
前記シリンダーの下部に突起を有する内管が設置され、前記シリンダーの外管と突起の内管との間にリング状の間隙を形成し、前記リング状の間隙は前記シリンダー内のバネ座を構成し、前記ピストンは突起の内管に摺動自在に嵌合することを特徴とする、請求項１記載の乳液ポンプ。
【請求項１１】
前記シリンダーの下部と前記ピストンの下部のいずれか一方にシールリングと密封栓の
いずれか一方が設置され、前記シリンダーの下部と前記ピストンの下部の他方に前記シールリングと前記密封栓の他方が設置され、前記シールリングと前記密封栓との噛合により密封を図ることを特徴とする、請求項１記載の乳液ポンプ。
【請求項１２】
前記キャップは相互に連結した端部キャップとキャップ主体からなり、前記端部キャップの上部に前記連結導管に摺動自在に嵌合し、ロックの時に密封を形成する防水シールリングが設置されることを特徴とする、請求項１記載の乳液ポンプ。
【発明の詳細な説明】
【技術分野】
【０００１】
本発明は日用化学と医薬などの分野で使われる乳液ポンプに関するものであり、特にアウターバネ付け式乳液ポンプに関するものである。
【背景技術】
【０００２】
乳液ポンプは幅広く日用化学と医薬などの分野で利用されている。従来の乳液ポンプにおいて、例えばにＣＮ９９２０７２９２.１とＣＮ０１２２１３１７.９に掲載された乳液ポンプの構成のように、リセットバネはピストンヘッドとシリンダーの間に設置されるので、バネが乳液と接触して乳液により腐食され、腐食されたバネがまた乳液を汚す問題があった。
【発明の開示】
【発明が解決しようとする課題】
【０００３】
前記問題を解消するために、本発明の前にも、例えば、ＵＳ４３７１０９７、ＣＮ００１３３４１０.７など、アウターバネ付け式乳液ポンプが開示された。しかしながら、これらのアウターバネ付け式の乳液ポンプはいずれも構成が複雑で、部品点数が多いという欠点がある。アウターバネは大体押圧ヘッドの下側の「ネック部」に設置されるので、乳液ポンプ及びそのボトルのネック部が太くなり、伝統美学におけるサイズ比例を変えてしまい、製品全体の外観が劣ってしまう。また、「ネック部」に設置されたアウターバネは高い瓶口が必要とすることがあり、通用性に影響がある。
【０００４】
前記欠陥を解決するために、本発明は構成が簡単で、部品点数が少なく、且つ外観に影響のないアウターバネ付け式乳液ポンプを提供する。
【課題を解決するための手段】
【０００５】
前記目的を実現するために、本発明は、押圧ヘッドと、押圧ヘッドと連結され、内部に上チェックバルブが設置された連結導管と、瓶口と噛合連結する第一連結構成及び第二連結構成が設置されたキャップと、上端にキャップの第二連結構成と噛み合う連結構成が設置され、下端に下チェックバルブが設置されたシリンダと、上端が連結導管と連結され、シリンダー内で移動するピストンと、ピストンをリセットさせるバネとを有する乳液ポンプであって、バネの上端が連結導管に当接し、バネの下端がシリンダー内に設置されたバネ座に当接することを特徴とする乳液ポンプを提供する。
【０００６】
好ましくは、シリンダーがその中間部から直径を縮小することにより、シリンダーの内壁にシリンダー内のバネ座を構成する段差を形成し、ピストンが小径部に摺動自在に嵌合する。
【０００７】
好ましくは、バネは複数の直径を有するスプリングであり、下部の直径が大きい。
好ましくは、バネ座はシリンダ内に設置された別体のバネ座である。
【０００８】
好ましくは、キャップに内輪があり、該内輪には少なくとも一つのガイドグルーブ及び少なくとも一つのガイドブロックのいずれか一方が設置され、連結導管には少なくとも一つのガイドグルーブ及び少なくとも一つのガイドブロックの他方が設置される。ガイドグルーブとガイドブロックは下位ロック手段、または上位下位ともにロック可能な手段を形成できる。
【０００９】
好ましくは、ガイドグルーブとガイドブロックは下位ロック構成を形成し、キャップの
内側の下表面とガイドブロックの上表面に噛み合わせる噛合手段が設置される。
好ましくは、ガイドグルーブの下部の一側は円弧状とし、他側にはガイドブロックの回動を制限するとともに、ガイドブロックがガイドグルーブに滑りかえることを防止するための凸部が設置される。
【００１０】
好ましくは、キャップは相互に連結した端部キャップとキャップ主体からなり、ガイドグルーブとガイドブロックはさらに上位ロック構成を形成し、端部キャップの下表面とガイドブロックの上表面にそれぞれ噛合用の噛合手段が設置される。
好ましくは、ガイドグルーブの上部の一側に、端部キャップと共同作用してガイドブロックの回動を制限し、ガイドブロックがガイドグルーブに滑りかえることを防止するための凸部が設置される。
【００１１】
好ましくは、シリンダーの下部に突起を有する内管が設置され、シリンダーの外壁管と突起の内管との間にリング状の間隙を形成し、リング状の間隙はシリンダー内のバネ座を構成し、ピストンは突起の内管に摺動自在に嵌合する。
【００１２】
好ましくは、シリンダーの下部とピストンの下部のいずれか一方にシールリングと密封栓のいずれか一方が設置され、シリンダーの下部とピストンの下部の他方にシールリングと密封栓の他方が設置され、シールリングと密封栓との噛合により密封を図る。
【００１３】
好ましくは、キャップは相互に連結する端部キャップとキャップ主体からなり、端部キャップの上部には、連結導管に摺動自在に嵌合し、ロック時に密封を形成する防水シールリングが設置される。
【発明の効果】
【００１４】
本発明のアウターバネ付け式乳液ポンプによれば、バネが乳液と接触しないようにするので、バネが乳液に腐食され、腐食されたバネはまた乳液を汚す問題を回避することができる。特に、このアウターバネ付け式乳液ポンプは構成が非常に簡単で、部品点数が少ない（五つか四つの射出成型品のみ必要）ので、生産性を格段に向上し、大幅のコストダウンが期待できる。また、バネは瓶の「ネック部」ではなく、シリンダーの内部に設置されるので、製品の外観には影響しなく、瓶口を高くする必要もない。
【００１５】
本発明のその他の目的、特徴及び利点は、添付の図面に沿って詳述する説明から明らかになろう。
【発明を実施するための最良の形態】
【００１６】
図１〜図１０は本発明の第一実施例によるアウターバネ付け式乳液ポンプを示す。該乳液ポンプは１で表示する。図１〜３に示されるように、該アウターバネ付け式乳液ポンプ１は主に押圧ヘッド２と、キャップ３と、連結導管４と、ピストン５と、シリンダー６と、ガスゲット７と、リセットバネ８と、上玉９と、下玉１０と、吸管１１とを有する。
【００１７】
該乳液ポンプの基本作用は従来技術に類似している。そのうち、上玉９と連結導管４におけるバルブ座４３が上チェックバルブを構成し、下玉１０とシリンダー６におけるバルブ座６３が下チェックバルブを構成する。押圧ヘッド２が押下されると、上チェックバルブが開き、下チェックバルブが閉じ、ポンプチャンバ内の乳液はポンプされ、流れ出す。押圧ヘッド２が上へ移動すると、上チェックバルブが閉じ、下チェックバルブが開き、瓶内の乳液を吸管１１によりポンプチャンバに吸入する。
【００１８】
図１は押圧ヘッド２が押下されてロックされている状態を示す。「ロック」状態とは、押圧ヘッド２がロックされ、乳液をポンプできない状態である。ロック状態では、運輸も
貯蔵もしやすい。図２は押圧ヘッド２がバネ８によりリセットされたナンロック状態を示す。ナンロック状態では、乳液ポンプを利用して乳液をポンプすることができる。
【００１９】
図１と図２に示されるように、押圧ヘッド２は連結導管４に連結される。さらに図４ａと図４ｂに示されるように、押圧ヘッド２は複雑なネジ構成の代わりに、下向きに同心の内管２１と外管２２が突設され、内管２１と外管２２の間にリング状の凹溝が形成されている。内管２１が連結導管４と結合し、両者の間に例えば切り欠き／凸部などの相互回動防止手段を設置することができる。内管２１と外管２２の間のリング状凹溝はロックの時にキャップ３の防水シールリング３１を納める。
【００２０】
キャップ３の下部の第一連結構成（本実施例の場合はメスネジであるが、ネジではなく、凹凸模様の構成または連結歯のような連結構成であっても良い）は瓶口と噛合い、キャップのトップ部に設置されたガスゲット７により、瓶口との密封を確保する。キャップ３の上部の第二連結構成（ネジ、凹凸模様またはほかの連結構成）はシリンダー６の上端部の対応の連結構成と噛合う。図５ｂに示されるように、キャップ３の上部には、水が乳液ポンプに流れ込み瓶に入ることを防止するための防水シールリング３１が設置されて、ロックの時に（図１）押圧ヘッド２と合わせて密封効果を遂げる。キャップ３に内輪３２が設置され、該内輪にはガイドグルーブ３２１が設置されている。
【００２１】
図６ａ〜６ｃに示されるように、連結導管４の下部にガイドブロック４１が設置され、ガイドブロックの数は一つまたは二つ以上であってもよく、また同心で、同中心角で設置することが好ましい。ガイドグルーブ３２１は連結導管４のガイドブロック４１（図６ａ〜６ｂを参照）と合わせて、下位ロック手段を構成する。ガイドブロック４１がガイドグルーブ３２１の中で上下移動する時、乳液ポンプは稼動状態である（図２）。押圧ヘッド２が下死点まで押され、且つ時計方向に回転すると、下位ロック状態になる（図１）。図１、図５ｂと５ｃに示されるように、ガイドグルーブは切り欠き式である。「切欠き」とは、壁肉全体を貫通、またはパンクして形成したものである。ロックされた時に、ガイドブロック４１の上表面は壁肉全体で形成された水平部分の下側でストップする。このように、壁肉全体を貫通する「切欠き」構成を採用することで、原料を節約できるうえ、ガイドブロックと壁肉との接触面積が大きくなるので、噛合い強度を増加できる。
【００２２】
また、ガイドグルーブ３２１を凹溝形式に形成してもよい。「凹溝」の場合、壁肉全体を貫通する必要はなく、壁肉に一部窪むだけでよい。この場合、ロックすると、ガイドブロック４１の上表面は内輪３２の下表面３２２の一部と係合してストップする。
【００２３】
図５ｃに示されるように、ガイドグルーブ３２１の下方の一側は、ガイドブロック４１が切り欠きから滑り出るように、円弧状に形成されている。また、該円弧状部分には、ガイドブロック４１が切り欠きに滑り返るのを防止するため、小さな突起３２３が設置されている。ガイドグルーブ３２１の下方の他側には、ガイドブロック４１の回転を制限する凸部３２４が設置されている。これにより、論理上のロック角度が０°〜１８０°になる。好ましくは、内輪３２の下表面３２２とガイドブロック４１の上表面に噛合わせるための噛合手段、例えば二組の凸条、特に相互対応で、中心角相等で、放射状で且つ同心の凸条を設置する。押圧ヘッド２を好適の方向に向かってその位置を調整すると、噛合手段（二組の凸条）は押圧ヘッドを調整された位置に保持し、移動しにくいようにする。なお、噛合手段は他のさまざまの形式、例えばガイドブロック４１の上表面における刃口式の噛合い構成などを採用してもよい。
【００２４】
また、図１と図２に示されるように、連結導管４の上部の内孔には上チェックバルブを構成するバルブ座４３と上玉９が設置されている。上玉９の上方の内壁には二つ以上のストップ片４２が設置されている。ストップ片４２により形成された内孔は上玉９の直径よ
りやや小さいので、上玉９は付勢されて下へ押されると、バルブ座４３に落ちるが、稼動するときはストップ４２に阻止され、ストップ片を超えて上へ行けない。
【００２５】
ピストン５の上端は連結導管４に連結され、押圧ヘッド２と連結導管４の運動により、シリンダー６の中で直線移動をする。
【００２６】
図１と図２に示されるように、シリンダー６の上端はネジによりキャップ３と連結する。好ましくは、シリンダー６の上端の太いネジの中間部分に小さな気槽を形成し、シリンダー６の上端面に一つ以上の切欠き６１を設置する。図１０ｃに示されるように、シリンダー６の上端の内側に複数の縦方向の凸条６２が設けられ、キャップ３の内輪３２の外側にも似ている凸条が設けられている。シリンダー６をキャップ３にねじり込むと、二組の凸条によりシリンダー６がキャップ３に対して位置づけられ、また同軸されることができ、係脱を防止できるとともに、通気間隙を形成することができる。前記ネジにある気槽、シリンダー上縁部にある切り欠き、及び凸条はいずれも好適な通気構成である。
【００２７】
重要なことは、シリンダー６は中間部から直径が縮小して内壁にバネ８を取り付けるための段差６４を形成する。段差６４はバネ座を形成する。バネ８の下端はシリンダー６の段差６４に当接し、上端は連結導管４の下端に当接する。バネ８はシリンダー６の上半部に設置されるので、乳液と接触することはない。本実施例において、複数の直径を有するスプリング、つまり下部の直径が大きいバネを使うのは好ましい。バネ８は全体としてピストン５の外周にかぶせられる。
【００２８】
シリンダー６の小径部分の内壁はピストン５と協動する。シリンダー６下部の下玉の所から上へとシールリング６５が延伸し、ピストン５の下部から密封栓５１が延伸する。ロックする時、ピストン５の密封栓５１はシリンダー６のシールリング６５と相互に噛合うことにより、密封する。これにより、スプレーは漏れないことを確保する。ピストン５とその密封栓５１の間に一つ以上の貫通孔が形成されて、乳液通路を形成する。勿論、ピストン５の密封栓とシリンダー６のシールリングとは、位置が互換できる。互換の場合でも同じ目的を達成できる。
【００２９】
また、図１と図２に示されるように、シリンダー６の下部の内孔に下チェックバルブのバルブ座６３と下玉１０が設置されている。吸管１１がシリンダー６の下端部に設置され、瓶の底部に連通する。
【００３０】
次に図１１〜図２０を参照し、本発明の第二実施例によるアウターバネ付け式乳液ポンプを説明する。該乳液ポンプは１ａで表示する。下記説明において、該乳液ポンプ１ａの第一実施例と同様または類似の部品について同じ参照記号を付記し、その詳細な説明を省略する。第一実施例と区別のある部品について、「ａ」を接尾として付加する。
【００３１】
図１１〜図１３に示されるように、該アウターバネ付け式乳液ポンプ１ａは主に押圧ヘッド２ａと、キャップ３ａと、連結導管４ａと、ピストン５と、シリンダー６ａと、ガスゲット７と、リセットバネ８ａと、上玉９と、下玉１０と、吸管１１とを有する。該乳液ポンプ１ａの基本作用は従来技術に類似し、その詳細な説明を省略する。
【００３２】
図１１と図１２に示されるように、押圧ヘッド２ａも連結導管４ａに連結される。押圧ヘッド２ａが第一実施例の押圧ヘッド２と異なる点は、ネジ構成によりロック機能を実現することにある。図１４ａと図１４ｂに示されるように、押圧ヘッド２ａの下端には、キャップ３ａのネック部におけるメスネジ３３ａと相互に噛合いロックを実現できるオスネジ２３ａが設けられている。図１１は押圧ヘッド２ａが押下されロックされる位置にある状態を示す。
【００３３】
一方、キャップ３ａが第一実施例のキャップ３と異なる点は、ネック部に押圧ヘッド２ａにおけるオスネジ２３ａと噛合うメスネジ３３ａが設けられていることにある。勿論、押圧ヘッドとキャップのメスネジ、オスネジを互換してもよい。
【００３４】
図１６ａ、１６ｂに示されるように、連結導管４ａが第一実施例の連結導管４と異なる点は、バネカラー４１ａが設置されていることにある。また、バネカラーにも通気孔４４ａが設けられている。
【００３５】
図１１と１２に示されるように、シリンダー６ａが第一実施例のシリンダー６と異なる点は、シリンダー６ａの下部に突起の内管６５ａが設けられ、シリンダー６ａの外管と突起の内管６５ａの間にリング状の間隙が形成されていることにある。該リング状の間隙もバネ座を形成している。ピストン５は突起の内管６５ａに摺動自在に嵌合する。
【００３６】
本実施例において、バネ８ａは普通のバネを利用してもよく、その下端は前記リング状間隙内に設置され、その上端は連結導管４のバネカラー４１ａに当接する。このように設置すると、バネ８は乳液とは接触することはなく、瓶のネック部のサイズを大きくすることはなく、且つ部品点数を増加することもない。
【００３７】
次に図２１〜図３３を参照し、本発明の第三実施例によるアウターバネ付け式乳液ポンプを説明する。該乳液ポンプは１ｂで表示する。下記説明において、該乳液ポンプ１ｂの第一実施例と同様または類似の部品について同じ参照記号を付記し、その詳細な説明を省略する。第一実施例と区別のある部品について、「ｂ」を接尾として付加する。
【００３８】
図２１〜２３に示されるように、該乳液ポンプ１ｂは高粘度材料に用いられる乳液ポンプであり、主に押圧ヘッド２ｂと、端部キャップ１２と、キャップ主体３ｂと、連結導管４ｂと、バネ８ｂと、バネ座１３と、ピストン１４と、ピストンヘッド１５と、下玉１０と、シリンダー６ｂと、ガスゲット７と、吸管１１とを有する。
【００３９】
該乳液ポンプ１ｂの基本作用は従来技術の高粘度材料ポンプに類似している。押圧ヘッド２ｂが下へ押されると、ピストンヘッド１５が下へ移動し、ピストン１４はシリンダー６ｂ内壁との摩擦力により、ピストンヘッド１５と分離する。これにより、乳液は押圧ヘッドからポンプされる。一方、押圧ヘッド２ｂを離すと、バネ８ｂの作用で、ピストン１４はピストンヘッド１５にと共に上へ行き、ピストン１４とシリンダー６ｂとの摩擦力により、ピストン１４はピストンヘッド１５に押され、圧迫密封状態を形成し、負圧が生じる。これにより、下玉１０をバルブ座から離させる。また、乳液は吸管１１により乳液容器から吸い取られ、次回の押圧操作に利用される。
【００４０】
本実施例において、キャップは端部キャップ１２とキャップ主体３ｂからなり、端部キャップ１２の内周に凹模様１２１が設けられ、キャップ３ｂの外周に凸模様３３ｂが設けられている。凹模様１２１と凸模様３３ｂとの係合により、端部キャップ１２とキャップ主体３３ｂが相互連結されている。端部１２には、前記連結導管と摺動自在に嵌合し、ロックの時に密封状態を形成する防水シールリング１２３が設けられている。
図２６ａ〜２６ｃに示されるように、第三実施例において、下位ロック手段も採用するし、上位ロック手段も採用している。そのうち、下位ロック手段は大体第一実施例で説明された構成に似ているものであるが、図に示されるように、第三実施例においては、壁肉全体の厚さを貫通した「切欠き」の代わりに、第一実施例で言及した「凹溝」を利用している。
【００４１】
次に図２１〜２２と図２５〜２７を参考して、上位ロック手段を説明するが、主に連結
導管４ｂのガイドブロック４１ｂとキャップ主体３ｂにおけるガイドグルーブ３２１ｂに関するものである。図２２に示されるように、押圧ヘッド２ｂはガイドグルーブ３２１ｂに沿い上死点まで上昇し且つ回転すると、上位ロック状態になる。この時、ガイドブロック４１ｂがストップし、端部キャップ１２と内輪上表面３２５ｂの間に挟まれる。好ましくは、内輪の上表面３２５ｂにガイドブロック４１ｂの回動を制限するための小さな突起３２６ｂを設置する。ガイドグルーブの上方の一側にガイドブロックの回動を制限し、さらにロックの角度を限定するように、凸部３２７が設置されている。
【００４２】
また、好ましくは、キャップ（本実施例においては別体の端部キャップ１２である）の内側の下表面１２２とガイドブロック４１ｂの上表面の間に噛合わせるための噛合手段、例えば二組の凸条、特に相互対応で、中心角相等で、放射状で且つ同心の凸条を設置する。押圧ヘッド２ｂを好適の方向に向かってその位置を調整してから、噛合い手段（二組の凸条）は押圧ヘッドを調整された位置に保持し、移動しにくいようにする。噛合い手段は他の形式、例えば内輪３２ｂの上表面とガイドブロック４１ｂの下表面の間に設置された二組の凸条などを採用してもよい。
【００４３】
なお、重要なことは、本実施例には別体のバネ座１３が追加されている。該バネ座はシリンダー６ｂの内壁の凸段差に当接する。バネ８ｂの下端は該バネ座１３に当接し、またその上端は連結導管４ｂのフランジ４１ｂに当接する。従い、バネ８ｂもシリンダー６の上半部に設置されるようになって、乳液と接触することはない。本実施例において、上部が小径で、下部が大径であるスプリングを使用する必要はない。
【００４４】
二つの好ましい実施例を利用して本発明の詳細説明を行ったが、本発明は上記実施例に限定されることなく、種々の同等な変形か修正を行える。例えば、第一と第二実施例におけるロック構成の位置は互換でき、つまり、ガイドブロックを連結導管に設置し、ガイドグルーブをキャップに設置してもいいし、ガイドブロックをキャップに設置し、ガイドグルーブをピストンロッドに設置してもいい。また、連結導管をピストンと一体的に成形してもいい。各種類の螺合構成と凸凹模様の連結構成とを互換してもいい。つまり、本発明の保護範囲は添付の請求範囲で限定されるものとする。
【図面の簡単な説明】
【００４５】
【図１】図１は本発明第一実施例によるアウターバネ付け式乳液ポンプの断面図であり、押圧ヘッドは押下されてロック状態になっている。
【図２】図２は本発明第一実施例によるバネ外付け式乳液ポンプの断面図であり、押圧ヘッドはバネによりリセットされて、ナンロック状態になっている。
【図３】図３は前記アウターバネ付け式乳液ポンプの分解断面図である。
【図４】図４ａと４ｂはそれぞれ押圧ヘッドの下面図と断面図である。
【図５】図５ａと５ｂはそれぞれキャップの下面図と断面図であり、図５ｃは図５ｂのφAに沿って展開された図面である。
【図６】図６ａ、６ｂと６ｃはそれぞれ連結導管の下面図、断面図と上面図である。
【図７】図７ａ、７ｂと７ｃはそれぞれピストンの断面図、正面図と上面図である。
【図８】図８はリセットバネの正面図である。
【図９】図９ａと９ｂはそれぞれガスゲットの断面図と上面図である。
【図１０】図１０ａ、１０ｂ、１０ｃと１０ｄはそれぞれシリンダーの下面図、正面図、断面図と上面図である。
【図１１】図１１は本発明第二実施例によるアウターバネ付け式乳液ポンプの断面図であり、押圧ヘッドは押下されてロック状態になっている。
【図１２】図１２は本発明第二実施例によるアウターバネ付け式乳液ポンプの断面図であり、押圧ヘッドはバネによりリセットされて、ナンロック状態になっている。
【図１３】図１３は前記アウターバネ外付け式乳液ポンプの分解断面図である。
【図１４】図１４ａと１４ｂはそれぞれ押圧ヘッドの下面図と断面図である。
【図１５】図１５ａと１５ｂはそれぞれキャップの下面図と断面図である。
【図１６】図１６ａと１６ｂはそれぞれ連結導管の断面図と上面図である。
【図１７】図１７ａ、１７ｂと１７ｃはそれぞれピストンの断面図、正面図と上面図である。
【図１８】図１８はリセットバネの正面図である。
【図１９】図１９ａと１９ｂはそれぞれガスゲットの断面図と下面図である。
【図２０】図２０ａ、２０ｂ、２０ｃと２０ｄはそれぞれシリンダーの下面図、正面図、断面図と上面図である。
【図２１】図２１は本発明第三実施例によるアウターバネ付け式乳液ポンプの断面図であり、押圧ヘッドは押下されて、ロック状態になっている。
【図２２】図２２は本発明第三実施例によるアウターバネ外付け式乳液ポンプの断面図であり、押圧ヘッドはバネによりリセットされて、ナンロック状態になっている。
【図２３】図２３は前記アウターバネ付け式乳液ポンプの分解断面図である。
【図２４】図２４ａと２４ｂはそれぞれ押圧ヘッドの下面図と断面図である。
【図２５】図２５ａと２５ｂはそれぞれ端部キャップの下面図と断面図である。
【図２６】図２６ａと２６ｂはそれぞれキャップの下面図と断面図であり、図２６ｃは図２６ｂのφAに沿って展開された図面である。
【図２７】図２７ａと２７ｂはそれぞれ連結導管の断面図と上面図である。
【図２８】図２８ａと２８ｂはそれぞれバネ座の下面図と断面図である。
【図２９】図２９ａ、２９ｂと２９ｃはそれぞれピストンの正面図、断面図と上面図である。
【図３０】図３０ａ、３０ｂと３０ｃはそれぞれピストンヘッドの断面図、正面図と上面図である。
【図３１】図３１ａと３１ｂはそれぞれガスゲットの断面図と下面図である。
【図３２】図３２はリセットバネの正面図である。
【図３３】図３３ａ、３３ｂ、３３ｃと３３ｄはそれぞれシリンダーの下面図、正面図、断面図と上面図である。
【図１】
2009540198.tif 000003
【図２】
2009540198.tif 000004
【図３】
2009540198.tif 000005
【図４ａ】
2009540198.tif 000006
【図４ｂ】
2009540198.tif 000007
【図５ａ】
2009540198.tif 000008
【図５ｂ】
2009540198.tif 000009
【図５ｃ】
2009540198.tif 000010
【図６ａ】
2009540198.tif 000011
【図６ｂ】
2009540198.tif 000012
【図６ｃ】
2009540198.tif 000013
【図７ａ】
2009540198.tif 000014
【図７ｂ】
2009540198.tif 000015
【図７ｃ】
2009540198.tif 000016
【図８】
2009540198.tif 000017
【図９ａ】
2009540198.tif 000018
【図９ｂ】
2009540198.tif 000019
【図１０ａ】
2009540198.tif 000020
【図１０ｂ】
2009540198.tif 000021
【図１０ｃ】
2009540198.tif 000022
【図１０ｄ】
2009540198.tif 000023
【図１１】
2009540198.tif 000024
【図１２】
2009540198.tif 000025
【図１３】
2009540198.tif 000026
【図１４ａ】
2009540198.tif 000027
【図１４ｂ】
2009540198.tif 000028
【図１５ａ】
2009540198.tif 000029
【図１５ｂ】
2009540198.tif 000030
【図１６ａ】
2009540198.tif 000031
【図１６ｂ】
2009540198.tif 000032
【図１７ａ】
2009540198.tif 000033
【図１７ｂ】
2009540198.tif 000034
【図１７ｃ】
2009540198.tif 000035
【図１８】
2009540198.tif 000036
【図１９ａ】
2009540198.tif 000037
【図１９ｂ】
2009540198.tif 000038
【図２０ａ】
2009540198.tif 000039
【図２０ｂ】
2009540198.tif 000040
【図２０ｃ】
2009540198.tif 000041
【図２０ｄ】
2009540198.tif 000042
【図２１】
2009540198.tif 000043
【図２２】
2009540198.tif 000044
【図２３】
2009540198.tif 000045
【図２４ａ】
2009540198.tif 000046
【図２４ｂ】
2009540198.tif 000047
【図２５ａ】
2009540198.tif 000048
【図２５ｂ】
2009540198.tif 000049
【図２６ａ】
2009540198.tif 000050
【図２６ｂ】
2009540198.tif 000051
【図２６ｃ】
2009540198.tif 000052
【図２７ａ】
2009540198.tif 000053
【図２７ｂ】
2009540198.tif 000054
【図２８ａ】
2009540198.tif 000055
【図２８ｂ】
2009540198.tif 000056
【図２９ａ】
2009540198.tif 000057
【図２９ｂ】
2009540198.tif 000058
【図２９ｃ】
2009540198.tif 000059
【図３０ａ】
2009540198.tif 000060
【図３０ｂ】
2009540198.tif 000061
【図３０ｃ】
2009540198.tif 000062
【図３１ａ】
2009540198.tif 000063
【図３１ｂ】
2009540198.tif 000064
【図３２】
2009540198.tif 000065
【図３３ａ】
2009540198.tif 000066
【図３３ｂ】
2009540198.tif 000067
【図３３ｃ】
2009540198.tif 000068
【図３３ｄ】
2009540198.tif 000069
【手続補正書】
【提出日】平成20年3月20日(2008.3.20)
【手続補正１】
【補正対象書類名】特許請求の範囲
【補正対象項目名】全文
【補正方法】変更
【補正の内容】
【特許請求の範囲】
【請求項１】
押圧ヘッドと、前記押圧ヘッドと連結され、内部に上チェックバルブが設置された連結導管と、瓶口と噛合連結する第一連結構成及び第二連結構成が設置されたキャップと、上端に前記キャップの第二連結構成と噛み合う連結構成が設置され、下端に下チェックバルブが設置されたシリンダと、上端が前記連結導管と連結され、前記シリンダー内で移動するピストンと、前記ピストンをリセットさせるバネとを有し、前記バネの上端が前記連結導管に当接し、前記バネの下端が前記シリンダー内に設置されたバネ座に当接する乳液ポンプであって、
前記シリンダーが中間部から直径を縮小することにより、シリンダーの内壁に前記シリンダー内のバネ座を構成する段差を形成し、前記ピストンが小径部分に摺動自在に嵌合することを特徴とする乳液ポンプ。
【請求項２】
前記バネは複数の直径を有するスプリングであり、下部の直径が大きいことを特徴とする、請求項１記載の乳液ポンプ。
【請求項３】
押圧ヘッドと、前記押圧ヘッドと連結され、内部に上チェックバルブが設置された連結導管と、瓶口と噛合連結する第一連結構成及び第二連結構成が設置されたキャップと、上端に前記キャップの第二連結構成と噛み合う連結構成が設置され、下端に下チェックバルブが設置されたシリンダと、上端が前記連結導管と連結され、前記シリンダー内で移動するピストンと、前記ピストンをリセットさせるバネとを有し、前記バネの上端が前記連結導管に当接し、前記バネの下端が前記シリンダー内に設置されたバネ座に当接する乳液ポンプであって、
前記シリンダーの下部に突起を有する内管が設置され、前記シリンダーの外管と突起の内管との間にリング状の間隙を形成し、前記リング状の間隙は前記シリンダー内のバネ座を構成し、前記ピストンは突起の内管に摺動自在に嵌合することを特徴とする乳液ポンプ。
【請求項４】
前記キャップに内輪があり、該内輪には少なくとも一つのガイドグルーブ及び少なくとも一つのガイドブロックの何れか一方が設置され、前記連結導管には前記少なくとも一つ
のガイドグルーブまたは前記少なくとも一つのガイドブロックの他方が設置されることを特徴とする、請求項１または３記載の乳液ポンプ。
【請求項５】
前記ガイドグルーブと前記ガイドブロックは下位トップロック構成を形成し、前記キャップの内側の下表面と前記ガイドの上表面に噛合わせる噛合い手段が設置されることを特徴とする、請求項４記載の乳液ポンプ。
【請求項６】
前記ガイドグルーブ下部の一側は円弧状とし、他側に前記ガイドブロックの回動を制限するとともに、ガイドブロックがガイドグルーブに滑りかえることを防止するための凸部が設置されることを特徴とする、請求項５記載の乳液ポンプ。
【請求項７】
前記キャップは相互に連結した端部キャップとキャップ主体からなり、前記ガイドグルーブと前記ガイドブロックはさらに上位ロック構成を形成し、前記端部キャップの下表面と前記ガイドブロックの上表面にそれぞれ噛合用の噛合手段が設置されることを特徴とする、請求項４乃至６のいずれか一項記載の乳液ポンプ。
【請求項８】
前記ガイドグルーブの上部の一側に、端部キャップと共同作用して前記ガイドブロックの回動を制限し、ガイドブロックがガイドグルーブに滑りかえることを防止するための凸部が設置されることを特徴とする、請求項７記載の乳液ポンプ。
【請求項９】
前記シリンダーの下部と前記ピストンの下部のいずれか一方にシールリングと密封栓のいずれか一方が設置され、前記シリンダーの下部と前記ピストンの下部の他方に前記シールリングと前記密封栓の他方が設置され、前記シールリングと前記密封栓との噛合により密封を図ることを特徴とする、請求項１または３記載の乳液ポンプ。
【請求項１０】
前記キャップは相互に連結した端部キャップとキャップ主体からなり、前記端部キャップの上部に前記連結導管に摺動自在に嵌合し、ロックの時に密封を形成する防水シールリングが設置されることを特徴とする、請求項１または３記載の乳液ポンプ。
【国際調査報告】
2009540198.tif 000070
2009540198.tif 000071
2009540198.tif 000072
2009540198.tif 000073
2009540198.tif 000074
2009540198.tif 000075
2009540198.tif 000076
2009540198.tif 000077